(57)【要約】【課題】  従来の番組記録装置は、番組を全部記録するといった要望には対応できるものの、番組のうち、所望の楽曲や特定の出演者が出演する部分のみ記録したいという要望には対応できない。【解決手段】  記録を希望する番組コンテンツを特定する識別情報を含む希望コンテンツ情報をユーザから受信し、コンテンツ提供者が提供する番組コンテンツを特定する識別情報を含む提供コンテンツ情報をコンテンツ提供者から受信する受信部と、希望コンテンツ情報と合致する提供コンテンツ情報がある場合、番組コンテンツを識別する識別情報とともに、ユーザの番組記録装置に記録処理を起動させるための制御情報を含む記録起動情報を生成し、ユーザの番組記録装置に送信する送信部とを設けた。【選択図】  図１
2006262115.tif 000002
【特許請求の範囲】
【請求項１】
記録を希望する番組コンテンツを特定する識別情報を含む希望コンテンツ情報をユーザから受信し、コンテンツ提供者が提供する番組コンテンツを特定する識別情報を含む提供コンテンツ情報をコンテンツ提供者から受信する受信部と、
前記希望コンテンツ情報と合致する前記提供コンテンツ情報がある場合、番組コンテンツを識別する識別情報とともに、ユーザの番組記録装置に記録処理を起動させるための制御情報を含む記録起動情報を生成し、ユーザの前記番組記録装置に送信する送信部とを設けたことを特徴とする番組情報提供装置。
【請求項２】
送信部は、記録起動情報を電子メールを用いて送信するとともに、前記電子メールのあて先である番組記録装置の電話番号宛てに発呼処理を行うことを特徴とする請求項１に記載の番組情報提供装置。
【請求項３】
番組コンテンツを記録する記録機能と無線通信機能を有し、記録を希望する番組コンテンツを特定する識別情報を含む希望コンテンツ情報を送信する送信部と、
コンテンツ提供者が提供する番組コンテンツを識別する識別情報とともに、前記番組コンテンツの記録処理を起動させるための制御情報を含む、記録起動情報を受信する受信部と、
この受信部が受信した前記記録起動情報に含まれる前記制御情報に基づいて、記録開始時間、記録終了時間および受信周波数を設定するとともに、番組コンテンツを記録する前に受信感度が良好か判定し、受信感度が良好であれば記録処理を開始する記録部とを設けたことを特徴とする番組記録装置。
【請求項４】
記録部は、記録した番組コンテンツを、記録起動情報に含まれる前記番組コンテンツを識別する識別情報と対応付けて保存することを特徴とする請求項３に記載の番組記録装置。
【請求項５】
送信部は、コンテンツ提供者が記録起動情報を電子メールで送信したことを通知するための発呼を受けると、前記電子メールを取得するため、移動通信ネットワークに照会することを特徴とする請求項３に記載の番組記録装置。
【発明の詳細な説明】
【技術分野】
【０００１】
本発明は、番組情報を、たとえば携帯電話機などの番組記録装置に提供する番組情報提供装置、および番組情報提供装置から提供された番組情報に基づいて記録する番組記録装置に関する。
【背景技術】
【０００２】
近年、ＦＭ放送あるいはテレビ放送を受信可能なチューナーを備えた携帯電話機が販売されている。将来は、ＦＭ放送やテレビ放送を受信するだけでなく、受信した番組を記録する記録機能も一般的に備えるようになると考えられる。携帯電話機がチューナーと記録機能を備えたとき、携帯電話機が持つ通信機能を活用して電子番組表を受信し、自動的に所望の番組を記録したり、ユーザーが希望するコンテンツが放送されることを事前に認識して記録する機能が実現されれば、ポータブルな携帯機器としての使い勝手はさらに向上することが期待できる。
【０００３】
特許文献１には、所望の端末装置を利用して、テレビ番組の録画予約や録画したテレビ番組の視聴を任意の場所から行うことができるコンテンツ提供システムと端末装置が開示されている。特許文献１によると、端末装置は、配信された電子番組表を参照して、インターネットを介して所望の番組をサーバー装置に登録する。サーバー装置は、端末装置から指定された番組を録画して記録する。端末装置から視聴要求を受け付けたサーバー装置は、記録していた番組を、端末装置の表示部の表示に適した形式に変換するとともに、端末装置に配信する。
【０００４】
【特許文献１】特開２００３−３３９０４１号公報
【発明の開示】
【発明が解決しようとする課題】
【０００５】
ところで、上記の端末装置や、現在普及している、たとえばＤＶＤレコーダーなどの番組記録装置は、ユーザーによるタイマー設定や、あるいは電子番組表を参照して自動的に所望の番組を記録することができる。しかし、従来の端末装置や番組記録装置では、放送されている番組に含まれる特定の楽曲のみを抽出して記録することはできなかった。また、特定の楽曲を記録する場合、ユーザーは番組表を調べて適当な番組を選び、その番組を記録するようにあらかじめ予約録画などの設定を行う必要があるが、予約設定に手間がかかるうえ、いつ希望する楽曲が放送されるのかは番組表を調べてもわからないことが多い。このように、従来の番組記録装置は、番組を全部記録するといった要望には対応できるものの、所望の楽曲や特定の出演者が出演する部分のみ記録したいという要望には対応できない。
【０００６】
そこで、本発明は、番組を全部記録するのではなく、特定の楽曲や特定の出演者が出演する部分のみ記録可能な番組情報提供装置、及び番組記録装置を提供することを目的とする。
【課題を解決するための手段】
【０００７】
本発明に係る番組情報提供装置は、記録を希望する番組コンテンツを特定する識別情報を含む希望コンテンツ情報をユーザーから受信し、コンテンツ提供者が提供する番組コンテンツを特定する識別情報を含む提供コンテンツ情報をコンテンツ提供者から受信する受信部と、希望コンテンツ情報と合致する提供コンテンツ情報がある場合、番組コンテンツを識別する識別情報とともに、ユーザーの番組記録装置に記録処理を起動させるための制御情報を含む記録起動情報を生成し、ユーザーの番組記録装置に送信する送信部とを設けたものである。
【０００８】
本発明に係る番組記録装置は、番組コンテンツを記録する記録機能と無線通信機能を有し、記録を希望する番組コンテンツを特定する識別情報を含む希望コンテンツ情報を送信する送信部と、コンテンツ提供者が提供する番組コンテンツを識別する識別情報とともに、番組コンテンツの記録処理を起動させるための制御情報を含む記録起動情報を受信する受信部と、この受信部が受信した記録起動情報に含まれる制御情報に基づいて、記録開始時間、記録終了時間および受信周波数を設定するとともに、番組コンテンツを記録する前に受信感度が良好か判定し、受信感度が良好であれば記録処理を開始する記録部とを設けたものである。
【発明の効果】
【０００９】
本発明に係る番組情報提供装置は、記録を希望する番組コンテンツを特定する識別情報を含む希望コンテンツ情報をユーザーから受信し、コンテンツ提供者が提供する番組コンテンツを特定する識別情報を含む提供コンテンツ情報をコンテンツ提供者から受信する受信部と、希望コンテンツ情報と合致する提供コンテンツ情報がある場合、番組コンテンツを識別する識別情報とともに、ユーザーの番組記録装置に記録処理を起動させるための制御情報を含む記録起動情報を生成し、ユーザーの番組記録装置に送信する送信部とを設けたので、番組を全部記録するのではなく、特定の楽曲や特定の出演者が出演する部分のみ記録可能な番組情報提供システム、及び番組記録装置を提供することができる。
【００１０】
本発明に係る番組記録装置は、番組コンテンツを記録する記録機能と無線通信機能を有し、記録を希望する番組コンテンツを特定する識別情報を含む希望コンテンツ情報を送信する送信部と、コンテンツ提供者が提供する番組コンテンツを識別する識別情報とともに、番組コンテンツの記録処理を起動させるための制御情報を含む記録起動情報を受信する受信部と、この受信部が受信した記録起動情報に含まれる制御情報に基づいて、記録開始時間、記録終了時間および受信周波数を設定するとともに、番組コンテンツを記録する前に受信感度が良好か判定し、受信感度が良好であれば記録処理を開始する記録部とを設けたので、番組を全部記録するのではなく、特定の楽曲や特定の出演者が出演する部分のみ記録可能な番組情報提供システム、及び番組記録装置を提供することができる。
【発明を実施するための最良の形態】
【００１１】
実施の形態１．
図１は、本発明に係る番組情報提供装置と番組記録装置を含む番組情報提供システムを示す説明図である。図１において、携帯通信機１は番組記録装置の一例であり、たとえば携帯電話機や携帯情報端末など無線通信機能を有する携帯可能な通信機器である。携帯通信機１は、たとえばＷ−ＣＤＭＡ方式を採用し、大容量のデータ伝送が可能な移動通信ネットワーク２を介して番組情報管理サーバー３にアクセスする。ここで、番組情報管理サーバー３は、番組情報提供装置の一例である。ＦＭ放送局４は番組コンテンツを提供するコンテンツ提供者の一例であり、ＴＶ放送局やＡＭ放送局などでもかまわない。携帯通信機１、移動通信ネットワーク２、番組情報管理サーバー３、ＦＭ放送局４を結ぶ矢印Ａ〜Ｃは、携帯通信機１〜ＦＭ放送局４間でやり取りされる情報と、その流れを示している。
【００１２】
図１に示すＡは、ユーザーが記録を希望する番組コンテンツに関する情報を示す。以下の説明では、このような情報を「希望コンテンツ情報」と称する。希望コンテンツ情報Ａは図３に示されるように、例えば記録したい楽曲名、歌手名、番組に関する情報のように、記録を希望する番組コンテンツを特定する識別情報を含む。Ｂは、ＦＭ放送局４が提供する番組コンテンツに関する情報を示す。このような情報を「提供コンテンツ情報」と称する。提供コンテンツ情報Ｂは図４に示されるように、提供する楽曲名、歌手名、番組に関する情報のようなコンテンツ提供者が提供する番組コンテンツを特定する識別情報と、開始時間、終了時間、受信周波数のような、ユーザーの番組記録装置に記録処理を起動させるための制御情報をともに含んでいる。Ｃは、番組情報管理サーバー３が携帯通信機１の記録機能を起動させる情報を示す。このような情報を「記録起動情報」と称する。記録起動情報Ｃは図５に示されるように、記録する楽曲名、歌手名、番組情報のように番組コンテンツを特定する識別情報と、開始時間、終了時間、受信周波数、提供放送局名のように、ユーザーの番組記録装置に記録処理を起動させるための制御情報を含む。
【００１３】
携帯通信機１は、音声情報及び画像情報を含む番組コンテンツを記録する記録部、希望コンテンツ情報を送信する送信部、記録起動情報を受信する受信部を少なくとも有する。また、番組情報管理サーバー３は、希望コンテンツ情報をユーザーから受信し、提供コンテンツ情報をコンテンツ提供者から受信する受信部と、希望コンテンツ情報と合致する提供コンテンツ情報がある場合、携帯通信機１に記録処理を起動させるための制御情報を含む記録起動情報を送信する送信部と有する。図１に示すように、ユーザーからの希望コンテンツ情報Ａは、移動通信ネットワーク２を経由して番組情報管理サーバー３に記録される。この希望コンテンツ情報Ａは、携帯通信機１から送信可能な電子メールやショートメッセージサービスが考えられるが、直接番組情報管理サーバー３にアクセスし、希望コンテンツ情報Ａに含まれるデータを直接入力してもよい。また、ＦＭ放送局からの提供コンテンツ情報Ｂは、移動通信ネットワーク２を経由して番組情報管理サーバー３に記録される。この提供コンテンツ情報Ｂは、移動通信ネットワーク２を経由せずに、番組情報管理サーバー３に直接入力されてもよい。
【００１４】
番組情報管理サーバー３は、記録された希望コンテンツ情報Ａと提供コンテンツ情報Ｂとを対比し、希望コンテンツ情報Ａと合致する提供コンテンツ情報Ｂが入力されると、記録起動情報Ｃは番組情報管理サーバー３から移動通信ネットワーク２を経由して携帯通信機１に伝達される。記録起動情報Ｃは、希望コンテンツ情報Ａと同様、電子メールやショートメッセージを利用することが考えられるが、携帯通信機１を制御できるものであれば、そのコマンドやリモート制御の形態は問わない。
【００１５】
図２は、番組情報提供システムの処理を説明するフローチャートである。以下、図２を参照しながら、本発明に係る番組情報提供システムの動作を説明する。ステップ２１において、ユーザーは携帯通信機１を使用して、移動通信ネットワーク２を介して番組情報管理サーバー３に希望コンテンツ情報Ａを送信する。ステップ２２において、移動通信ネットワーク２は、携帯通信機１から送信された希望コンテンツ情報Ａを番組情報管理サーバー３に転送する。ステップ２３において、番組情報管理サーバー３は、希望コンテンツ情報Ａを受信し、ステップ２４において、希望コンテンツ情報Ａをデータベースに書き込む。なお、番組情報管理サーバー３が利用登録制を採用している場合には、ステップ２５において、ユーザー登録がされているか判定し、ユーザー登録がされている場合には（ステップ２５でＹＥＳ）、ステップ２７のデータベース更新処理を行う。ユーザー登録がされていない場合には（ステップ２５でＮＯ）、ステップ２６において、ユーザーＩＤの発行やアドレス新規登録処理を行ってもよい。
【００１６】
一方、ステップ２８において、ＦＭ放送局４は番組を放送しながら、放送予定の楽曲名や歌手名あるいは出演者名などの番組の詳細な情報を適宜作成し、提供コンテンツ情報Ｂとして随時送信する。ステップ２９において、移動通信ネットワーク２は、ＦＭ放送局４から送信された提供コンテンツ情報Ｂを番組情報管理サーバー３に転送する。ステップ３０において、番組情報管理サーバー３は、ＦＭ放送局４から送信された提供コンテンツ情報Ｂを受信すると、ステップ３１において、データベースを照会して、提供コンテンツ情報Ｂに合致する希望コンテンツ情報Ａが登録されていないかサーチを行う。提供コンテンツ情報Ｂと合致する希望コンテンツ情報が登録されている場合には（ステップ３２でＹＥＳ）、ステップ３３において、希望コンテンツ情報Ａと提供コンテンツ情報Ｂに基づいて記録起動情報Ｃを作成して送信する。ステップ３４において、移動通信ネットワーク２１は、番組情報管理サーバー３から送信された記録起動情報Ｃを携帯通信機１に転送する。
【００１７】
ステップ３５において、携帯通信機１が番組情報管理サーバー３から送信された記録起動情報Ｃを受信すると、ステップ３６において、携帯通信機１は、記録起動情報Ｃから制御データを読み出し、記録開始時間、記録終了時間、受信周波数を設定して記録準備処理を行う。そして、記録開始時間などの所定の記録開始条件を考慮して、ＦＭラジオを起動して受信周波数の調整を行う。記録を開始する前に、携帯通信機１は、ステップ３７において、受信感度が良好であるかチェックする。受信感度が良好である場合には（ステップ３７でＹＥＳ）、ステップ３８において記録を開始する。記録された楽曲は、たとえば記録起動情報Ｃに含まれる楽曲名、歌手名（出演者名）、番組情報、記録開始・終了時間、提供放送局名と対応付けて、携帯通信機１内の記憶手段や携帯通信機１にセットされた外部記憶手段に記録される。一方、受信感度が悪い場合には（ステップ３７でＮＯ）、ステップ３９において、受信感度不良のため記録不可であると判断する。そして、ステップ４０において、携帯通信機１の表示ディスプレイに警告表示を行う。
【００１８】
なお、携帯通信機１には、番組情報管理サーバー３から複数の記録起動情報が届く場合がありうる。このような場合には、ステップ３６において、携帯通信機１は、複数届いた各記録起動情報に含まれる制御情報に基づいて、受信感度を確認する。そして、受信感度が最も良好な放送局から放送される番組コンテンツを記録するように構成してもよい。
【００１９】
上記説明のように、本発明に係る番組情報提供装置は、番組を全部記録するのではなく、特定の楽曲や特定の出演者が出演する部分のみ記録可能な番組情報提供システム、及び番組記録装置を提供することができる。
【００２０】
実施の形態２.
上記説明のように、番組情報管理サーバー３は、携帯通信機１に記録起動情報Ｃを、例えば電子メールにより送信していた。しかし、電子メールは移動通信ネットワークの通信環境によって携帯通信機１への到着が遅れがちであり、携帯通信機１が電子メール（記録起動情報）を受信したときには、記録起動情報Ｃが指定するコンテンツを記録する機会を逸する可能性もある。このような問題を解消するため、以下説明する番組情報管理サーバー３は、記録起動情報Ｃを送信するとともに携帯通信機１に電話をかけ、番組情報管理サーバー３からの着呼に応じて、携帯通信機１が移動通信ネットワーク２に問い合わせをかけることで、早期に電子メール（記録起動情報Ｃ）を受信するものである。
【００２１】
図６は、本発明の実施の形態２に係る番組情報提供装置及び番組記録装置を含む番組情報提供システムの処理を説明するフローチャートである。番組情報管理サーバー３は、ステップ６１において、記録起動情報Ｃを電子メールを用いて送信する。移動通信ネットワーク２は、ステップ６２において、番組情報管理サーバー３から送信された記録起動情報Ｃを一時保管する。そして、番組情報管理サーバー３は、携帯通信機１に電話をかける（ステップ６３）。移動通信ネットワーク２は、番組情報管理サーバー３からの発呼を転送する（ステップ６４）。携帯通信機１は、ステップ６５において番組情報管理サーバー３からの着呼を検出すると、ステップ６６において、番組情報管理サーバー３からの電話であるか、発信者番号に基づいて判断する。番組情報管理サーバー３からの着信である場合（ステップ６６でＹＥＳ）、ステップ６７において、移動通信ネットワーク２に照会をかける。携帯通信機１から照会を受けた移動通信ネットワーク２は、ステップ６８において、一時保管していた記録起動情報Ｃを転送する。ステップ６９において、記録起動情報Ｃを受信した携帯通信機１は、図２に示すステップ３６以下の処理を実行する。
【００２２】
上記説明のように、番組情報管理サーバー３は、記録起動情報Ｃを送信するとともに、携帯通信機１に電話をかけ、記録起動情報Ｃの取得を促すので、電子メールの着信遅れによる、記録機会逸失の可能性を最小限にすることができる。
【図面の簡単な説明】
【００２３】
【図１】本発明の実施の形態１に係る番組情報提供装置および番組記録装置を含む番組情報提供システムの構成を示す説明図である。
【図２】本発明の実施の形態１に係る番組情報提供装置及び番組記録装置を含む番組情報提供システムの処理を説明するフローチャートである。
【図３】希望コンテンツ情報を示す説明図である。
【図４】提供コンテンツ情報を示す説明図である。
【図５】記録起動情報を示す説明図である。
【図６】本発明の実施の形態２に係る番組情報提供装置及び番組記録装置を含む番組情報提供システムの処理を説明するフローチャートである。
【符号の説明】
【００２４】
１  携帯通信機、２  移動通信ネットワーク、３  番組情報管理サーバー、
４  ＦＭ放送局
【図１】
2006262115.tif 000003
【図２】
2006262115.tif 000004
【図３】
2006262115.tif 000005
【図４】
2006262115.tif 000006
【図５】
2006262115.tif 000007
【図６】
2006262115.tif 000008